(57)【特許請求の範囲】
【請求項１】
ロール状態から手動引き出しで粘着テープが搬送される粘着テープ供給手段と、
前記粘着テープに予め又は印刷前に貼り付けられる非接触型のＩＣチップと、
前記搬送される粘着テープ上のＩＣチップを検出するチップ検出センサと、
印刷情報のブースタアンテナパターンを可変的に記憶する手段を備え、前記搬送される粘着テープが印刷領域に達したときに、所定インキ材で当該粘着テープの粘着面の前記ＩＣチップの周辺に当該印刷情報のブースタアンテナパターンを非接触で印刷する印刷手段と、
前記手動引き出しで搬送される粘着テープの搬送量を検出する搬送量検出手段と、
前記粘着テープの粘着面に印刷が行われた後に、手動引出搬送の適宜な位置で手作業により切断させる切断手段と、
少なくとも、前記手動引き出しで搬送される粘着テープに対して、前記チップ検出センサが前記ＩＣチップを検出したときに前記搬送量検出手段の演算値をリセットさせ、その後の当該搬送量検出手段からの検出信号に基づいて、前記印刷手段に記憶された印刷情報のブースタアンテナパターンを印刷させる制御手段と、
を有することを特徴とする粘着テープ印刷装置。
【発明の詳細な説明】
【技術分野】
【０００１】
本発明は、粘着テープに文字、記号、パターン等を適合のインキ材で印刷する粘着テープ印刷装置に関する。
【背景技術】
【０００２】
近年、パーソナル用、業務用で粘着テープに所定の文字や記号を印刷する小型の印刷装置が普及しており、資源保護の観点から剥離紙を使用せず、また印刷内容保護のために当該粘着テープの粘着面に印刷することも行われている。このような印刷装置においては可変的な内容が印刷可能であり、より安価であることが望まれる。
【０００３】
従来、粘着テープの粘着面に所定内容を印刷する装置として、以下の特許文献等で開示されているものがある。特許文献１では、透明粘着セロハンテープ印刷機として、テープカッター台に絵柄・文字等が彫刻されているインク含浸式のローラ型スタンプを回転自由に取り付け、回転盤に取り付けられた透明粘着セロハンテープを引き出すことによって、ローラ型スタンプが回転して当該テープの裏側の粘着面に印面の絵柄・文字等を印刷することが開示されている。
【０００４】
また、特許文献２では、粘着テープの印字供給装置に関して、テープリールに嵌着された粘着テープロールから、駆動モータで回転される搬送ロールによって定寸搬送で引き出された粘着テープの粘着面に、記録メモリーに格納されている現在の日時を含む情報をインクジェットプリンタで印字し、印字した範囲の後端部近傍を当該駆動モータで駆動される切断装置により切断することによって粘着面に印字された粘着テープ片を形成することが開示されている。
【０００５】
【特許文献１】実用新案登録第３０３５３６３号公報
【特許文献２】特開２００５−１３２０５４号公報
【発明の開示】
【発明が解決しようとする課題】
【０００６】
しかしながら、上記特許文献１に開示されている印刷機では、上記特許文献２でも指摘されているようにスタンプに彫刻されている絵柄・文字しか印刷することができず、印刷内容が限定されるという問題がある。また、特許文献２に開示されている印字供給装置では、粘着テープ及び切断装置が駆動モータ及び駆動伝達機構で駆動されることからその分コスト高となると共に、消費電力が大となるという問題がある。
【０００７】
そこで、本発明は上記課題に鑑みなされたもので、可変的な情報を印刷可能としても安価であると共に、消費電力を押さえて汎用性、設置自由度の高い粘着テープ印刷装置を提供することを目的とする。
【課題を解決するための手段】
【０００８】
上記課題を解決するために、請求項１の発明では、ロール状態から手動引き出しで粘着テープが搬送される粘着テープ供給手段と、前記粘着テープに予め又は印刷前に貼り付けられる非接触型のＩＣチップと、前記搬送される粘着テープ上のＩＣチップを検出するチップ検出センサと、印刷情報のブースタアンテナパターンを可変的に記憶する手段を備え、前記搬送される粘着テープが印刷領域に達したときに、所定インキ材で当該粘着テープの粘着面の前記ＩＣチップの周辺に当該印刷情報のブースタアンテナパターンを非接触で印刷する印刷手段と、前記手動引き出しで搬送される粘着テープの搬送量を検出する搬送量検出手段と、前記粘着テープの粘着面に印刷が行われた後に、手動引出搬送の適宜な位置で手作業により切断させる切断手段と、少なくとも、前記手動引き出しで搬送される粘着テープに対して、前記チップ検出センサが前記ＩＣチップを検出したときに前記搬送量検出手段の演算値をリセットさせ、その後の当該搬送量検出手段からの検出信号に基づいて、前記印刷手段に記憶された印刷情報のブースタアンテナパターンを印刷させる制御手段と、を有する構成とする。
【発明の効果】
【０００９】
本発明によれば、粘着テープ供給手段から手動引き出しで粘着テープを搬送するもので、当該粘着テープに予め又は印刷前に非接触型のＩＣチップが貼り付けられ、チップ検出センサがＩＣチップを検出したときに搬送量検出手段の演算値をリセットさせ、その後の手動引出搬送の搬送量検出信号に基づいて演算し、演算値に応じて印刷手段で記憶された可変的な印刷情報のブースタアンテナパターンを当該粘着テープの粘着面に所定インキ材で非接触により印刷させ、適宜な位置で手作業により切断させる構成とすることにより、粘着テープの搬送や切断に駆動源を有しなくとも可変的なアンテナパターンを印刷することができ、これによって安価とすることができると共に、消費電力を押さえて汎用性、設置自由度の高いものとすることができるものである。
【発明を実施するための最良の形態】
【００１０】
以下、本発明の最良の実施形態を図により説明する。
図１に、本発明に係る粘着テープ印刷装置の参考図を示す。図１（Ａ）は粘着テープ印刷装置の内部側面概念図、図１（Ｂ）はロータリエンコーダの取り付けられた支持ローラの説明図である。図１（Ａ）に示す粘着テープ印刷装置１１は、外体１２内に粘着テープ供給回転軸１３にロール状の粘着テープが取り付けられて粘着テープ供給手段１４が構成される。この粘着テープ供給手段１４から粘着テープ１４Ａが手動引き出しによって手動引出搬送されるもので、粘着面１４Ｂがロール状の内側とされている。
【００１１】
上記粘着テープ供給手段１４からのテープ搬送経路を決定させる支持ローラ１５，１６が配置され、図のように粘着テープ１４Ａを挾持する。したがって、粘着テープ１４Ａの粘着面１４Ｂが接触する少なくとも支持ローラ１５の表面は粘着剤が付着され難いフッ素樹脂系又はシリコン系の部材で形成される。また、上記支持ローラ１６の回転軸には搬送量検出手段であるロータリエンコーダ１７が取り付けられる（図１（Ｂ）で説明する）。
【００１２】
上記支持ローラ１５，１６の次段には印刷手段であるインクジェット印刷部１８が配置され、印刷面支持部材１９の下方の印刷領域において手動引出搬送の粘着テープ１４Ａに対して適合のインキ材を噴射して印刷を行う。インクジェット印刷部１８はフルカラー印刷、白黒印刷を問わず、印刷情報を記憶する手段を備える（印刷情報の提供は後述する）。
【００１３】
当該インクジェット印刷部１８としては、印刷速度が例えば５００ｍｍ／ｓｅｃ〜１０００ｍｍ／ｓｅｃ（１００ｆｐｍ〜２００ｆｐｍ）のものが使用可能であり、後述のコントローラ（４１）を含めて低消費電力とすることができることから電源系に例えば電池や、コンピュータ４２とのバスパワー型ＵＳＢ接続によることも可能である。また、当該インクジェット印刷部１８で使用されるインキ材は文字、記号、図形等を印刷する場合には、通常の低粘度の水性インキや溶剤型インキが使用される。なお、文字等を印刷する場合に、印字と称する場合もあるが、本発明における印刷は印字の概念も含むものである。
【００１４】
上記インクジェット印刷部１８（印刷面支持部材１９）は、上記支持ローラ１５，１６と支持ローラ２０，２１との間に配置されるもので、当該支持ローラ２０，２１で粘着テープ１４Ａが挾持される状態とされることで、少なくとも印刷領域部分（印刷面支持部材１９の下方）に対して張力を付加している。当該支持ローラ２１は粘着テープ１４Ａの粘着面１４Ｂと接触することから、上記支持ローラ１５と同様に、表面がフッ素樹脂系又はシリコン系の部材で形成されるものであるが、適宜支持ローラ２１の表面を清掃するクリーニングローラ２２が接触状態で設けられる。なお、クリーニングローラ２２は必ずしも回転自在とさせなくともよいが、その表面は、例えば不織布や綿布で形成される。
【００１５】
上記外体１２の縁端部１２Ａと、支持ローラ２０，２１の搬送方向側とには、少なくとも人手による粘着テープ搬送のための指部分が容易に入る空間１２Ｂが形成され、当該空間１２Ｂに粘着テープ１４Ａの手動引出搬送のために作業者の指が入れられたときにこれを検出する検出手段であるセンサ２３Ａ，２３Ｂが配置される。図では、透過型のセンサを示したが、反射型、近接型のセンサであってもよい。そして、外体１２の縁端部１２Ａの先端には粘着テープ１４Ａの粘着面１４Ｂに印刷が行われた後に、手動引出搬送の適宜な位置で手作業により切断させるためのテープカット部２４が設けられるものである。
【００１６】
ここで、上記支持ローラ１６は、図１（Ｂ）に示すように、回転軸３１の両端で外体１２等に固定されたベアリング３２，３３で回転自在とされるが、ベアリング３３は戻りを回避させるために、例えば一方向性のものが使用され、又は双方であっても回転負荷の重いベアリング（例えば粘性の高いオイルを使用したシールドベアリング）が使用される。また、戻りを回避させる手法として、粘着テープ供給手段１４の粘着供給回転軸１３にバネ等を使用して回転負荷を加えることも可能である。そして、回転軸３１の一方端でカプラ３４を介してロータリエンコーダ１７に連結されるものである。なお、他の支持ローラ１５，２０，２１等は通常の双方向回転自在のベアリングで十分である。
【００１７】
続いて、図２に、図１の粘着テープ印刷装置における制御ブロック図を示す。図２において、粘着テープ印刷装置１１は、上述のロータリエンコーダ１７、センサ２３及びインクジェット印刷部１８と共に、印刷を制御する制御手段であるコントローラ４１を備える。当該コントローラ４１は印刷情報供給手段であるコンピュータ４２とデータ授受自在に無線又は有線で接続される。
【００１８】
すなわち、コントローラ４１は、センサ２３からの検出信号を受信し、粘着テープ１４Ａの手動引出搬送の搬送量となる検出信号であるエンコードパルスをロータリエンコーダ１７より受信すると共に、コンピュータ４２より印刷情報を受け取り、これをインクジェット印刷部１８に送出して記憶させる。そして、手動引き出しで搬送される粘着テープ１４Ａに対してロータリエンコーダ１７からのエンコードパルスに基づいて速度、加速度を演算し、当該演算値に応じて、上記インクジェット印刷部１８に記憶された印刷情報を順次印刷させるものである。なお、当該コントローラ４１では、ロータリエンコーダ１７からのエンコードパルスを演算していくものであるが、センサ２３からの検出信号をトリガとして演算の開始状態するものである。
【００１９】
そこで、図３に、本発明に係る粘着テープ印刷装置の印刷処理フローチャートを示す。ここでは、コンピュータ４２より印刷情報を受け取り、これをインクジェット印刷部１８に送出して記憶させておくことを前提としている。本実施形態では印刷情報として、商品表示、包装表示、商品盗難防等のための文字、記号、図形等であって、反転された印刷情報であり、コンピュータ４２からの供給に応じて随時更新されるものである。
【００２０】
図３において、まず、作業者が粘着テープ１４Ａを引き出す際に当該作業者の指部分をセンサ２３が検出すると（ステップ（Ｓ）１）、以前のエンコードパルスに基づく演算値を一旦リセットして初期状態とし、当該エンコードパルス（検出信号）に基づく演算開始状態とさせるトリガとする（Ｓ２）。作業者が粘着テープ１４Ａを引き出すと、これに応じたエンコードパルスがロータリエンコーダ１７より順次入力され、速度、加速度を演算していく（Ｓ３）。
【００２１】
そして、当該ロータリエンコーダ１７より入力するエンコードパルスに基づく演算値に応じて、インクジェット印刷部１８に対して印刷指令を出力することで順次印刷を行わせる（Ｓ４）。この処理は、印刷情報のすべてが終了するまで続けられるものである（Ｓ５）。その後、作業者が手動搬送の適宜な位置で手作業によりテープカット部２４で切断させるものである。
【００２２】
このように、粘着テープ１４Ａの搬送や切断に従前のような駆動源を有しなくとも可変的な情報を印刷することができ、これによって安価とすることができると共に、消費電力を押さえて汎用性や設置自由度の高いものとすることができるものである。
【００２３】
次に、図４に、本発明に係る粘着テープ印刷装置における印刷処理の説明図を示す。図４（Ａ）は粘着テープの粘着面のパターン印刷の説明図、図４（Ｂ）は当該パターン印刷に附帯した制御ブロック図であり、本発明の粘着テープ印刷装置を非接触型ＩＣメディア（特にＲＦＩＤ）の製造に適用させたものである。
【００２４】
図４（Ａ）において、粘着テープ１４Ａの粘着面１４Ｂの所定部分に例えば０．５ｍｍ四方、厚さが８０μｍ〜１５０μｍのＩＣチップ５１が、予め又は印刷直前で貼り付けられ、当該ＩＣチップ５１の少なくとも３辺の周囲にブースタアンテナパターン５２を上記インクジェット印刷部１８により印刷させたものである。この場合、インクジェット印刷部１８におけるインキ材は、導電性インキが使用される。
【００２５】
上記ＩＣチップ５１は、回路領域５１Ａの周囲に、例えば巻回パターンのアンテナ部５１Ｂが形成されたもので、基本的には当該ＩＣチップ５１単独でリーダライタとデータの授受を行うことができるものであるが、上記アンテナ部５１Ｂとブースタアンテナパターン５２との電磁結合により通信能力を向上させることができるものである。
【００２６】
上記ブースタアンテナパターン５２の印刷情報は、図４（Ｂ）に示すコンピュータ４２よりコントローラ４１を介してインクジェット印刷部１８に適宜更新自在に記憶させておくもので、ここではインクジェット印刷部１８の前段の支持ロータ１５又は支持ローラ１６の近傍にＩＣチップ５１を検出するチップ検出センサ５３が上記センサ２３に替えて設けられ、上記ＩＣチップ５１とコンピュータ４２との間でデータ授受させるアンテナを含む送受信回路５４が当該インクジェット印刷部１８の後段に設けられる。
【００２７】
すなわち、作業者による粘着テープ１４Ａの引き出しが行われ、チップ検出センサ５３が貼り付けられているＩＣチップ５１を検出することで以前のエンコードパルスに基づく演算値を一旦リセットして初期状態とした後に、当該手動引出搬送に応じたロータリエンコーダ１７からのエンコードパルスに基づいて速度、加速度を演算し、その演算値に応じてインクジェット印刷部１８に対してブースタアンテナパターン５１印刷の指令を出力することによって印刷を行わせる。そして、上記ブースタアンテナパターン５２が印刷された後に、コンピュータ４２が送受信回路５４を介してＩＣチップ５１に所定情報（例えば商品情報）の書き込み、読み出しを行わせるものである。
【００２８】
このように、本発明の粘着テープ印刷装置１１は文字、記号、図形等の他に、可変的なアンテナパターン５２を手動引出搬送で印刷することにも適用できるもので、上記同様に、粘着テープ１４Ａの搬送や切断に従前のような駆動源を有しなくとも可変的なアンテナパターンを印刷することができ、これによって安価とすることができると共に、消費電力を押さえて汎用性や設置自由度の高いものとすることができるものである。
【産業上の利用可能性】
【００２９】
本発明の粘着テープ印刷装置は、商品表示、包装表示、商品盗難防止、ＲＦＩＤ製造等における粘着テープに対する文字、記号、パターン等の印刷に適する。
【図面の簡単な説明】
【００３０】
【図１】本発明に係る粘着テープ印刷装置の参考図である。
【図２】図１の粘着テープ印刷装置における制御ブロック図である。
【図３】本発明に係る粘着テープ印刷装置の印刷処理フローチャートである。
【図４】本発明に係る粘着テープ印刷装置における印刷処理の説明図である。
【符号の説明】
【００３１】
１１        粘着テープ印刷装置
１４        粘着テープ供給手段
１４Ａ      粘着テープ
１４Ｂ      粘着面
１６        支持ローラ
１７        ロータリエンコーダ
１８        インクジェットプリンタ
４１        コントローラ
４２        コンピュータ
５１        ＩＤチップ
５２        ブースタアンテナパターン
【図１】
0004484834.tif 000002
【図２】
0004484834.tif 000003
【図３】
0004484834.tif 000004
【図４】
0004484834.tif 000005